(57)【特許請求の範囲】
【請求項１】
上階床と下階床との間に壁用プレキャストコンクリート板が設置され、該壁用プレキャストコンクリート板底面の挿入孔には、下階床の上面から突出した接続筋が挿入され、壁用プレキャストコンクリート板頂面の差込孔には、上階床の下面における長孔から突出した接合ピンが差し込まれ、該接合ピンの長孔に接触する部分には弾性材が巻かれ、該弾性材の摩擦を利用して接合ピンが長孔に取り付けられたことを特徴とするプレキャストコンクリート壁。
【請求項２】
下階床の上面から突出した接続筋を底面の挿入孔に挿入して壁用プレキャストコンクリート板を設置し、該壁用プレキャストコンクリート板頂面の差込孔に、長孔と接触する部分に巻かれた弾性材の摩擦を利用して上階床下面の長孔に取り付けられた接合ピンを差し込んで上階床を設置することを特徴とするプレキャストコンクリート壁の構築方法。
【発明の詳細な説明】
【０００１】
【発明の属する技術分野】
本発明はプレキャストコンクリート壁およびその構築方法に関するものである。
【０００２】
【従来の技術】
上下階のバルコニー間の立上壁に沿って設けたマリオン壁は、図６の（１）に示すように、取付金物（いわゆるファスナー）２１で接合するか、あるいは、同図の（２）に示すように、鉄筋２２で接合していた。
【０００３】
【発明が解決しようとする課題】
しかし、上記のマリオン壁には下記のような問題があった。
（１）取付金物が外部から見えるため美観を損なっていた。
（２）接合部が固定されるため地震などによる建物の層間変形に追随できない。
【０００４】
本発明はこれらの問題に鑑みてなされたものであり、その目的は、見栄えが良く、かつ地震などによる建物の層間変形に追随できるプレキャストコンクリート壁およびその構築方法を提供することである。
【０００５】
【課題を解決するための手段】
以上の課題を解決するための手段であるプレキャストコンクリート壁は、上階床と下階床との間に壁用プレキャストコンクリート板が設置され、該壁用プレキャストコンクリート板底面の挿入孔には、下階床の上面から突出した接続筋が挿入され、壁用プレキャストコンクリート板頂面の差込孔には、上階床の下面における長孔から突出した接合ピンが差し込まれ、該接合ピンの長孔に接触する部分には弾性材が巻かれ、該弾性材の摩擦を利用して接合ピンが長孔に取り付けられたことを特徴とする。またプレキャストコンクリート壁の構築方法は、下階床の上面から突出した接続筋を底面の挿入孔に挿入して壁用プレキャストコンクリート板を設置し、該壁用プレキャストコンクリート板頂面の差込孔に、長孔と接触する部分に巻かれた弾性材の摩擦を利用して上階床下面の長孔に取り付けられた接合ピンを差し込んで上階床を設置することを特徴とする。
【０００６】
取付金物が外部に露出しないため、意匠的に好ましい美観が確保できる。また接合ピンが長孔に嵌め込まれたため、地震などによる建物の層間変形、特に面内方向の変形に追随することができる。また接合ピンの長孔に嵌め込まれた部分に弾性材が巻かれたことにより、長孔とのガタツキがなくなった。また、あらかじめ接合ピンを、弾性材の摩擦を利用して上階床の下面における長孔に差し込んでおくことにより、プレキャストコンクリート壁の構築が簡単にできる。
【０００７】
【発明の実施の形態】
以下、本発明のプレキャストコンクリート壁およびその構築方法の実施の形態について説明する。はじめにプレキャストコンクリート壁（以下、ＰＣ壁という）の実施の形態について説明し、その後にプレキャストコンクリート壁の構築方法（以下、ＰＣ壁の構築方法という）の実施の形態について説明する。これら各実施の形態において同じ構成は同じ符号を付して説明し、異なった構成にのみ異なった符号を付して説明する。
【０００８】
図１および２はＰＣ壁の実施の形態を示したものであり、このＰＣ壁１は、上下のバルコニーである上階床２と下階床３との間に壁用プレキャストコンクリート板（以下、壁用ＰＣ板という）４が設置されて構成されている。この壁用ＰＣ板４の下部は、下面の挿入孔５に、下階床３の上面から突出した接続筋６が挿入されて固定されている。一方、壁用ＰＣ板４の上部は、グラウト７が充填された頂面の差込孔８に、上階床２の下面から突出した接続ピン９が差し込まれて固定されている。
【０００９】
前記接続ピン９は、上部が固定金物１０の長孔１１に挿入され、該長孔１１に接触する部分には、ガタツキを防ぐゴムなどの弾性材１２が巻かれ、この弾性材１２の摩擦を利用して固定金物１０に取り付けられている。この固定金物１０は、図３に示すように、プレート１３と、その上面に設けた長孔（面内方向に長い）１１を覆う函体１４と、前記プレート１３上面に函体１４を挟むように設けたＵ字形のアンカー筋１５とから構成されている。
【００１０】
一方、接続ピン９の先端が差し込まれた差込孔８は、図４に示すような差込管１６で形成されている。この差込管１６は筒体１７と、該筒体１７の上面に設置され、中央部に孔１８が開口された上蓋１９と、側面に設けられた二本のグラウト用注入管２０とから構成されている。
【００１１】
次に、上記のようなＰＣ壁の構築方法を図５に基づいて説明する。はじめに、（１）に示すように、接続筋６を下面の挿入孔５に挿入して（図示せず）壁用ＰＣ板４を下階床３上に設置する。次に、同図の（２）に示すように、上階床２の固定金物１０の長孔１１に、弾性材１２の摩擦を利用して接続ピン９を取り付ける。この接続ピン９は弾性材１２によってあらゆる方向に動くようになっている。次に、この接続ピン９を壁用ＰＣ板４の差込孔８に差し込んで上階床２を、壁用ＰＣ板４上に設置する。そして、壁用ＰＣ板４の垂直度を調整した後に、差込孔８にグラウト用注入管２０からグラウト７を注入する。そして、このグラウト７が固化すると、長孔１１による面内方向に移動可能な壁用ＰＣ板が取り付けられる。
【００１２】
このような作業を順次上階にかけて繰り返すことにより、図１に示すようなＰＣ壁１、すなわち、地震などによる建物の層間変形、特に面内方向の変形に追随することができるＰＣ壁１を構築することができる。
【００１３】
【発明の効果】
取付金物が外部に露出しないため、意匠的に好ましい美観が確保できる。
【００１４】
接合ピンが長孔に嵌め込まれたため、地震などによる建物の層間変形、特に面内方向の変形に追随することができる。
【００１５】
接合ピンの長孔に嵌め込まれた部分に弾性材が巻かれたことにより、長孔とのガタツキがなくなった。
【００１６】
あらかじめ接合ピンを、弾性材の摩擦を利用して上階床の下面における長孔に差し込んでおくことにより、プレキャストコンクリート壁の構築が簡単にできる。
【図面の簡単な説明】
【図１】ＰＣ壁の断面図である。
【図２】（１）は接合部の正面図、（２）および（２）は同平面図である。
【図３】（１）は固定金具の断面図、（２）は同平面図である。
【図４】（１）は差込管の断面図、（２）は同底面図である。
【図５】（１）および（２）はＰＣ壁の構築方法の断面図である。
【図６】（１）および（２）は従来のＰＣ壁の構築方法の断面図である。
【符号の説明】
１  ＰＣ壁
２  上階床
３  下階床
４  壁用ＰＣ板
５  挿入孔
６  接続筋
７  グラウト
８  差込孔
９  接続ピン
１０  固定金物
１１  長孔
１２  弾性材
１３  プレート
１４  函体
１５  アンカー
１６  差込管
１７  筒体
１８  孔
１９  上蓋
２０  グラウト用注入管
２１  取付金物
２２  鉄筋
【図１】
0003565805.tif 000002
【図２】
0003565805.tif 000003
【図３】
0003565805.tif 000004
【図４】
0003565805.tif 000005
【図５】
0003565805.tif 000006
【図６】
0003565805.tif 000007